(57)【要約】【課題】複数のアンテナから得られた信号をそれぞれ復調し、ダイバーシティ処理を行う場合に、１系統の信号からＯＦＤＭシンボル期間を算出し、残りの信号に対しては同じ期間をＯＦＤＭシンボル期間として設定することが可能である。しかしながら、複数得られる信号間に遅延時間が生じた場合には、全信号に対して最適なＯＦＤＭシンボル期間が算出されない問題があった。【解決手段】本発明にかかるダイバーシティ受信装置は、上記課題を解決するために、信号出力を内部または外部に設けたバッファ手段に一旦蓄積するとともに、両信号間の遅延を計算、補正して出力する遅延手段を設けたことを特徴とする。これにより、アンテナ手段から受信したＯＦＤＭ信号の遅延を予め設定された遅延時間に従って調整できるため、各信号に対し最適なシンボル切り出し位置が設定できる。【選択図】図１
2006041987.tif 000002
【特許請求の範囲】
【請求項１】
デジタル多値変調方式によりキャリア変調された信号を複数のアンテナで受信し、合成処理した後に再送信するダイバーシティ型の中継装置であって、
受信した放送信号を内部または外部に設けたバッファ手段に一旦蓄積し、信号間の遅延量を計算し、遅延量を小さくもしくは遅延量を０に補正して出力する遅延手段を備えたことを特徴とする中継装置。
【請求項２】
デジタル多値変調方式によりキャリア変調された信号を複数のアンテナで受信し、合成処理した後に再送信するダイバーシティ型の中継装置であって、
放送局から送信される放送電波を電気信号に変換する複数のアンテナ手段と、前記アンテナ手段より得られた信号から、特定の周波数帯域の信号を抽出する複数のチューナ手段と、アナログ信号をデジタル信号へと変換する複数のＡ／Ｄ変換手段と、前記Ａ／Ｄ変換手段からの信号出力を内部または外部に設けたバッファ手段に一旦蓄積し、信号間の遅延量を計算し、遅延量を小さくもしくは遅延が生じないように補正して出力する複数の遅延手段を備えたことを特徴とする中継装置。
【請求項３】
デジタル多値変調方式によりキャリア変調された信号を複数のアンテナで受信し、合成処理した後に再送信するダイバーシティ型の中継装置であって、
放送局から送信される放送電波を電気信号に変換する複数のアンテナ手段と、前記アンテナ手段からの信号出力を内部または外部に設けたバッファ手段に一旦蓄積し、信号間の遅延量を計算し、遅延量を小さくもしくは遅延が生じないように補正して出力する複数の遅延手段と、前記遅延手段より得られた信号から、特定の周波数帯域の信号を抽出する複数のチューナ手段と、アナログ信号をデジタル信号へと変換する複数のＡ／Ｄ変換手段を備えたことを特徴とする中継装置。
【請求項４】
デジタル多値変調方式によりキャリア変調された信号を複数のアンテナで受信し、合成処理した後に再送信するダイバーシティ型の中継装置であって、
放送局から送信される放送電波を電気信号に変換する複数のアンテナ手段と、前記アンテナ手段より得られた信号から、特定の周波数帯域の信号を抽出する複数のチューナ手段と、前記チューナ手段からの信号出力を内部または外部に設けたバッファ手段に一旦蓄積し、信号間の遅延量を計算し、遅延量を小さくもしくは遅延が生じないように補正して出力する複数の遅延手段を備えたことを特徴とする中継装置。
【請求項５】
さらに、有効シンボル期間とガードインターバル期間の相関から、シンボル期間を切り出すタイミングを算出する複数の同期手段と、前記同期手段からのシンボル切り出しタイミングに関する情報に従って、シンボル期間の信号を切り出す複数のシンボル切り出し手段と、切り出したシンボル期間の信号から算出した受信信号の信号点を示す複素情報を合成するとともに、ガードインターバル期間を付加して再送信する再送信手段を備えたことを特徴とする請求項１から４に記載の中継装置。
【請求項６】
請求項１から５に記載の中継装置であって、複数のアンテナ手段に対して１つ少ない数の遅延手段を備えたことを特徴とする中継装置。
【請求項７】
請求項１から６に記載の中継装置であって、複数のアンテナ手段に対して同期手段を１つ備えたことを特徴とする中継装置。
【請求項８】
さらに、前記複数の同期手段からシンボル切り出しタイミングに関する情報と相関の強さに関する情報を入力し、最も相関の強い受信信号から算出したシンボル切り出しタイミングを共通のシンボル切り出しタイミングとして前記シンボル切り出し手段に出力するシンボル期間判定手段を設けたことを特徴とする請求項５に記載の中継装置。
【請求項９】
デジタル多値変調方式によりキャリア変調された信号を複数のアンテナで受信し、復調処理するダイバーシティ型の受信装置であって、
受信した放送信号を内部または外部に設けたバッファ手段に一旦蓄積し、信号間の遅延量を計算し、遅延量を小さくもしくは遅延が生じないように補正して出力する複数の遅延手段を備えたことを特徴とする受信装置。
【請求項１０】
デジタル多値変調方式によりキャリア変調された信号を複数のアンテナで受信し、復調処理するダイバーシティ型の受信装置であって、
放送局から送信される放送電波を電気信号に変換する複数のアンテナ手段と、前記アンテナ手段より得られた信号から、特定の周波数帯域の信号を抽出する複数のチューナ手段と、アナログ信号をデジタル信号へと変換する複数のＡ／Ｄ変換手段と、前記Ａ／Ｄ変換手段からの信号出力を内部または外部に設けたバッファ手段に一旦蓄積し、信号間の遅延量を計算し、遅延量を小さくもしくは遅延が生じないように補正して出力する複数の遅延手段を備えたことを特徴とする受信装置。
【請求項１１】
デジタル多値変調方式によりキャリア変調された信号を複数のアンテナで受信し、復調処理するダイバーシティ型の受信装置であって、
放送局から送信される放送電波を電気信号に変換する複数のアンテナ手段と、前記アンテナ手段からの信号出力を内部または外部に設けたバッファ手段に一旦蓄積し、信号間の遅延量を計算し、遅延量を小さくもしくは遅延が生じないように補正して出力する複数の遅延手段と、前記遅延手段より得られた信号から、特定の周波数帯域の信号を抽出する複数のチューナ手段と、アナログ信号をデジタル信号へと変換する複数のＡ／Ｄ変換手段を備えたことを特徴とする受信装置。
【請求項１２】
デジタル多値変調方式によりキャリア変調された信号を複数のアンテナで受信し、復調処理するダイバーシティ型の受信装置であって、
放送局から送信される放送電波を電気信号に変換する複数のアンテナ手段と、前記アンテナ手段より得られた信号から、特定の周波数帯域の信号を抽出する複数のチューナ手段と、前記チューナ手段からの信号出力を内部または外部に設けたバッファ手段に一旦蓄積し、信号間の遅延量を計算し、遅延量を小さくもしくは遅延が生じないように補正して出力する複数の遅延手段を備えたことを特徴とする受信装置。
【請求項１３】
さらに、有効シンボル期間とガードインターバル期間の相関から、シンボル期間を切り出すタイミングを算出する複数の同期手段と、前記同期手段からのシンボル切り出しタイミングに関する情報に従って、シンボル期間の信号を切り出す複数のシンボル切り出し手段と、切り出したシンボル期間の信号から算出した受信信号の信号点を示す複素情報を合成するとともに、ビットデータを復元する復元手段を備えたことを特徴とする請求項９から１２に記載の受信装置。
【請求項１４】
請求項９から１３に記載の受信装置であって、複数のアンテナ手段に対して１つ少ない数の遅延手段を備えたことを特徴とする受信装置。
【請求項１５】
請求項９から１４に記載の受信装置であって、複数のアンテナ手段に対して同期手段を１つ備えたことを特徴とする受信装置。
【請求項１６】
さらに、前記複数の同期手段からシンボル切り出しタイミングに関する情報と相関の強さに関する情報を入力し、最も相関の強い受信信号から算出したシンボル切り出しタイミングを共通のシンボル切り出しタイミングとして前記シンボル切り出し手段に出力するシンボル期間判定手段を設けたことを特徴とする請求項１３に記載の中継装置。
【請求項１７】
遅延手段が補正する遅延時間は、ユーザが任意に設定できることを特徴とする請求項１から８に記載の中継装置。
【請求項１８】
遅延手段が補正する遅延時間は、ユーザが任意に設定できることを特徴とする請求項９から１６に記載の受信装置。
【請求項１９】
遅延手段が補正する遅延時間は、受信チャンネルごとにユーザが任意に設定できることを特徴とする請求項１から８に記載の中継装置。
【請求項２０】
遅延手段が補正する遅延時間は、受信チャンネルごとにユーザが任意に設定できることを特徴とする請求項９から１６に記載の受信装置。
【請求項２１】
デジタル多値変調方式によりキャリア変調された信号を複数のアンテナで受信し、合成処理した後に再送信するダイバーシティ型の中継方法であって、
受信した放送信号を内部または外部に設けたバッファ手段に一旦蓄積し、信号間の遅延量を計算し、遅延量を小さくもしくは遅延が生じないように補正して出力する遅延ステップを備えたことを特徴とする中継方法。
【請求項２２】
デジタル多値変調方式によりキャリア変調された信号を複数のアンテナで受信し、復調処理するダイバーシティ型の受信方法であって、
受信した放送信号を内部または外部に設けたバッファ手段に一旦蓄積し、信号間の遅延量を計算し、遅延量を小さくもしくは遅延が生じないように補正して出力する遅延ステップを備えたことを特徴とする中継方法。
【請求項２３】
請求項２１または２２に記載の方法をハードウェアを用いて実現させるための手順をハードウェアで読み取り可能な言語により記述したプログラム。
【請求項２４】
請求項２３に記載のプログラムを格納したハードウェアで読み取り可能な記録媒体。
【発明の詳細な説明】
【技術分野】
【０００１】
本発明は、デジタル多値変調方式により変復調がなされたデータ信号系列をダイバーシティ受信する技術に関するものである。
【背景技術】
【０００２】
現在、放送のデジタル化が進められている。例えば、日本や欧州において、地上デジタルテレビジョン放送方式として直交周波数分割多重（以下、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ））伝送方式が採用されている（日本の地上デジタルテレビジョン放送の伝送方式の詳細について、非特許文献１を参照）。
【０００３】
ＯＦＤＭは、送信するデータを分割し、中心周波数が異なる複数の直交関係にあるサブキャリア（搬送波）を利用して情報を並列に伝送する方式である。データを分割することで、１つの搬送波あたりのシンボル時間を長くできるため、補完信号として干渉防止用の信号を付加することができる。
【０００４】
ＯＦＤＭによる伝送では、データを時間的に一部重複させて送る「ガードインターバル」が用いられる。ガードインターバルは、反射波や単一周波数ネットワーク（ＳＦＮ−Ｓｉｎｇｌｅ  Ｆｒｅｑｕｅｎｃｙ  Ｎｅｔｗｏｒｋ）局から到来する複数の妨害波で構成されるマルチパスの影響を軽減するために付加されたものであり、送信側で有効シンボル期間の後方の部分をそのまま有効シンボル期間の前方に複写、付加したものである。受信側では、マルチパスによるシンボル間干渉が想定されるガードインターバル部のデータは無視し、残りのデータでＯＦＤＭ復調を行う。
【０００５】
ＯＦＤＭ方式では、シンボル期間を長くとることができるため、ガードインターバル期間を長く出来る。これにより、ガードインターバル期間より短い遅延時間を持つマルチパスの影響を受けた場合に、シンボル間干渉による受信性能の劣化が発生しない。
【０００６】
上記のようにＯＦＤＭ信号は、マルチパスによるシンボル間干渉の影響が小さくなるようにＯＦＤＭシンボル期間を切り出し（ガードインターバル期間を除去し）、復調処理を行う必要がある。
【０００７】
また、複数のアンテナから得られた信号をそれぞれ復調し、復調された信号に対してダイバーシティ処理をすることで、マルチパス等の影響による信号特性の劣化を改善することが可能となる。なお、ダイバーシティ処理とは、ＯＦＤＭキャリア単位で信号を合成もしくは選択することを指す。
【０００８】
ダイバーシティ処理された信号は、時間インターリーブや誤り訂正処理を経て、送信時の符号列へと戻され、映像や音声もしくはデータ等として扱われる。また、再びＯＦＤＭ信号へと戻し、送信周波数帯域の信号へと変換し再送信することで、ＯＦＤＭ信号の中継装置として利用することができる。
【非特許文献１】社団法人電波産業会標準規格  「地上デジタルテレビジョン放送の伝送方式」、ＡＲＩＢ  ＳＴＤ−Ｂ３１  １．０版、平成１３年５月３１日策定
【発明の開示】
【発明が解決しようとする課題】
【０００９】
上記説明の通り、複数のアンテナから得られた信号をそれぞれ復調し、ダイバーシティ処理を行う場合には、各受信信号に対してＯＦＤＭシンボル期間の信号を抽出する必要があるが、ＯＦＤＭシンボル期間を抽出する際に、１系統の信号からＯＦＤＭシンボル期間を算出し、残りの信号に対しては同じ期間をＯＦＤＭシンボル期間として設定することが可能である。
【００１０】
しかしながら、複数得られる信号間に遅延時間差が発生する場合には、全信号に対して最適なＯＦＤＭシンボル期間が算出されない課題がある。
【課題を解決するための手段】
【００１１】
本発明にかかる受信装置は、上記課題を解決するために、信号出力を内部または外部に設けたバッファ手段に一旦蓄積するとともに、複数の信号間の遅延量を計算、補正して出力する遅延手段を設けたことを特徴とする。
【発明の効果】
【００１２】
本発明の受信装置によれば、アンテナ手段から受信したＯＦＤＭ信号の遅延を予め設定された遅延時間に従って調整できるため、複数の受信信号に対して共通のＯＦＤＭシンボル切り出し位置を設定した場合にも、誤ったＯＦＤＭシンボル期間を抽出してしまうことを回避することが可能となる。
【発明を実施するための最良の形態】
【００１３】
（実施の形態１）
図１は、本発明の実施の一例である中継放送所（中継局）の構成を示すブロック図である。地上デジタル放送では、放送電波を全国すみずみまで届けるため、親局の電波を中継放送所（中継局）で中継している。特に山間部や離島など、親局と中継局間、あるいは中継局どうしの間の地形が複雑なことが想定される反面、中継局で受信する信号に含まれるマルチパスによる信号の劣化ができるだけ小さい信号を再送信する必要がある。
【００１４】
図１において、１０１ａはアンテナ手段、１０２ａはチューナ手段、１０３ａはＡ／Ｄ変換手段、１０４ａは遅延手段、１０５ａは同期手段、１０６ａはシンボル切り出し手段、１０７ａはＦＦＴ演算手段、１０８ａは復調手段、１０９は合成手段、１１０は硬判定手段、１１１はＩＦＦＴ演算手段、１１２はガードインターバル付加手段、１１２は周波数変換手段、１１４は再送信アンテナ手段である。
【００１５】
一方、１０１ｂは、１０１ａとは異なるアンテナ手段であり、１０２ｂはチューナ手段、１０３ｂはＡ／Ｄ変換手段、１０４ｂは遅延手段、１０６ｂはシンボル切り出し手段、１０７ｂはＦＦＴ演算手段、１０８ｂは復調手段である。
【００１６】
以下、受信信号がＯＦＤＭ伝送信号のようにマルチキャリアにより伝送され、各キャリアは１６ＱＡＭ（Ｑｕａｄｒａｔｕｒｅ  Ａｍｐｌｉｔｕｄｅ  Ｍｏｄｕｌａｔｉｏｎ）変調方式により変調されている信号を合成するダイバーシティ受信方式を一例として動作を説明する。
【００１７】
アンテナ手段１０１ａ、１０１ｂは、放送局から送信される放送電波を電気信号に変換し出力する。チューナ手段１０２ａ、１０２ｂは、アンテナ手段１０１ａ、１０１ｂより得られた信号から、特定の周波数帯域の信号を抽出し、ベースバンドもしくは一定の周波数帯域の信号へと変換する。Ａ／Ｄ変換手段１０３ａ、１０３ｂは、チューナ手段１０２ａ、１０２ｂから得られたアナログ信号をデジタル信号へと変換する。
【００１８】
遅延手段１０４ａは、Ａ／Ｄ変換手段１０３ａとＡ／Ｄ変換手段１０３ｂからの信号出力を内部または外部に設けたバッファ手段に一旦蓄積するとともに、両信号間の遅延を計算、補正して出力する。遅延を補正して入力信号の出力タイミングをずらすだけであって、出力信号自体に特に変化を加えるものではない。
【００１９】
遅延手段１０４ａ、１０４ｂで与える遅延量は、親局または中継局の送信アンテナと中継局または受信機の受信アンテナの間の距離差や、既知の、あるいは予測される信号線路長の違いにより発生するＯＦＤＭ信号の受信時間差を解消するように設定する。放送局の送信アンテナおよび中継局、受信機の受信アンテナは固定されており、上記の受信時間差が大きく変動することが無いので、最初に正確に遅延量を算出し、遅延手段１０４ａ、１０４ｂに設定しておけばよい。例えば、大規模な開発工事によって山が無くなったとか、ビルが建設されたとかの要因で、信号の伝搬特性が変化したり、信号線路の変更に伴い信号の伝達時間が変化した場合には再度設定を行えばよい。
【００２０】
遅延手段１０４ａ、１０４ｂで与える遅延量は、親局や中継局との関係から、受信チャネル毎に異なる遅延時間を設定するようにしてもよい。通常、親局はチャンネルにより異なるため、個別に遅延調整を行うことが可能となる。
【００２１】
同期手段１０５ａは、遅延手段１０４ａによってタイミング調整されたＯＦＤＭ信号を入力し、ガードインターバルがＯＦＤＭ信号の一部をコピーしたものという特徴を利用し、相関を求める。ＯＦＤＭ信号はガードインターバル期間と有効シンボル期間から構成され，ガードインターバル期間は有効シンボル期間の後方の部分をそのまま有効シンボル期間の前方に付加したものである。つまり、ガードインターバル期間の信号は、ＯＦＤＭ信号の一部をコピーしたものなので、ＯＦＤＭシンボル（有効シンボル期間＋ガードインターバル期間）には、同一の信号が繰り返し含まれる箇所が存在する。ＯＦＤＭ信号の時間方向の相関値を算出すると、ガードインターバル期間に応じたところに高い相関を示すため、ガードインターバル長や、有効シンボル期間とガードインターバル期間の比率を示すガード比、伝送モードが判定できる。
【００２２】
同期手段１０５ａは、ＯＦＤＭ信号に加えて、シンボルパルス等、相関のピーク位置を示す情報を切り出しタイミングの情報として、シンボル切り出し手段１０６ａ、１０６ｂに出力する。
【００２３】
シンボル切り出し手段１０６ａ、１０６ｂは、同期手段１０５ａからＯＦＤＭ信号と、切り出しタイミングに関する情報を入力し、同期手段１０５ａが算出した相関のピーク位置の情報をもとにＯＦＤＭ信号からＯＦＤＭシンボル期間の信号を切り出し、切り出したＯＦＤＭシンボル期間の信号をＦＦＴ演算手段１０７ａ、１０７ｂに出力する。
【００２４】
ＦＦＴ演算手段１０７ａ、１０７ｂは、シンボル切り出し手段１０６ａ、１０６ｂから得られたＯＦＤＭシンボル期間の時間領域の信号をＦＦＴ演算処理し周波数領域の信号へと変換する。
【００２５】
復調手段１０８ａ、１０８ｂは、ＯＦＤＭ信号に挿入されたＴＭＣＣ（（Ｔｒａｎｓｍｉｓｓｉｏｎ  ａｎｄ  Ｍｕｌｔｉｐｌｅｘｉｎｇ  Ｃｏｎｆｉｇｕｒａｔｉｏｎ  ａｎｄ  Ｃｏｎｔｒｏｌ））信号を復調し、ＯＦＤＭ伝送信号の各種パラメータ情報を入手する。
【００２６】
さらに、復調手段１０８ａ、１０８ｂは、ＯＦＤＭ信号に周波数および時間方向に一定間隔で配置されているパイロット信号を抽出する。復調手段１０８ａ、１０８ｂは、抽出したパイロット信号を基準値（既知の振幅と位相）と比較し、振幅と位相の変化からパイロット信号の存在したキャリアの伝送路特性（振幅と位相のずれの程度）を算出する。次に、前記パイロット抽出手段で算出したパイロット信号の存在したキャリアの伝送路特性を時間方向および周波数方向に補間し、全てのＯＦＤＭキャリアの伝送路特性の推定値を算出し出力する。補間はパイロットキャリアの伝送路特性を用い、パイロットキャリア間に存在するデータキャリアの数に応じて順次増加または順次減少するよう、あるいは平均値で統一すること等により行なう。そして、前記ＦＦＴ演算手段１０７ａ、１０７ｂより入手した信号を、伝送路特性の推定値で除算し、除算結果に基づく複素信号を算出、合成手段１０９に出力する。
【００２７】
また、復調手段１０８ａ、１０８ｂは、パイロット信号より推定した伝送路特性を用いて算出した各ＯＦＤＭキャリアの電力量を示す電力情報や各ＯＦＤＭキャリアの振幅量を示す振幅情報を合成手段１０９に出力する。
【００２８】
合成手段１０９は、復調手段１０８ａ、１０８ｂから複素信号と電力情報、振幅情報を入手する。そして、復調手段１０８ａ、１０８ｂから得られた複素信号を合成する。合成時には、復調手段１０８ａ、１０８ｂで算出した受信信号が送信されたキャリアの電力量や振幅量をもとに、重み付け処理を行い信号を加算する。電力量や振幅量は量子化された値としてもよい。
【００２９】
合成手段１０９は、硬判定手段１１０に対して、合成後の受信信号点の複素情報を出力する。
【００３０】
硬判定手段１１０は、合成手段１０９から出力された複素信号を硬判定する。すなわち、ノイズ等の影響で複素信号の信号点はマッピング点から離れた位置に存在するので、受信信号点とマッピング点との距離を算出し、最も近いマッピング点に信号点を置き換える。図２はビットデータの復元を示した図である。
【００３１】
ＩＦＦＴ演算手段１１１は、硬判定手段１１０から入力した硬判定後の複素信号（周波数領域の信号）データに対してＩＦＦＴ演算処理を行い、時間領域の信号に戻す。そして、複素信号（時間領域の信号）をガードインターバル付加手段１１２に出力する。
【００３２】
ガードインターバル付加手段１１２は、ＩＦＦＴ演算手段１１１から時間領域の複素信号（ＯＦＤＭシンボル期間だけ）を入力し、受信した信号の伝送パラメータに対応するガードインターバル期間の信号を付加したうえで時間領域の複素信号（ＯＦＤＭシンボル＋ガードインターバルの信号）を周波数変換手段１１３に出力する。
【００３３】
周波数変換手段１１３は、ガードインターバルを付加したＯＦＤＭ信号を、受信した信号帯域の信号へと周波数変換するとともに、送信のための信号レベルの調整を行い、再送信アンテナ手段１１４から別の中継機または受信機に向けて再送信する。
【００３４】
以上のように、遅延手段１０４ａ、１０４ｂが、それぞれのアンテナ手段から受信したＯＦＤＭ信号の遅延を予め設定された遅延時間に従って調整するため、ガードインターバル期間を超えた遅延による受信状態の悪化を回避することが可能となる。特に中継装置では、信号品質への要求が高いため、本発明によるシンボルタイミング差の解消が有効である。
【００３５】
また、１つのアンテナ手段で受信したＯＦＤＭ信号からシンボルタイミングを算出し、そのシンボルタイミングを、他のアンテナ手段から得られた信号のシンボルタイミングとして利用することでＯＦＤＭシンボル期間の信号の切り出しを行えるため、各アンテナ手段から入手したＯＦＤＭ信号に対して個別にシンボル切り出しのための相関のピーク位置を示す情報を算出する必要が無くなり、構成の簡略化による部品点数、コスト、消費電力の削減が実現できる。
【００３６】
以上、本発明にかかる受信装置の一例を、図を用いて説明したが、本発明はこの実施の態様に限定されるものではない。
【００３７】
例えば、受信信号に遅延を与える遅延手段１０４ａ、１０４ｂは、Ａ／Ｄ変換手段１０３ａ、１０３ｂの後に設けたが、他の場所に設けてもよい。具体的には、ＲＦ信号帯域で遅延を与える場合にはチューナの前、ＩＦ（中間周波数）帯域で遅延を与える場合にはチューナの後に遅延手段１０４ａ、１０４ｂを設けるようにしてもよい。
【００３８】
また、本実施の形態１では、遅延手段１０４を各ブランチに設けることとしたが、一方のブランチにのみ遅延手段を設けることにしてもよい。本実施の形態１では、遅延手段１０４ｂを省略してもよい。この場合、アンテナ手段１０１ａで受信したＯＦＤＭ信号にのみ遅延を与えて、アンテナ手段１０１ｂで受信したＯＦＤＭ信号にタイミングを合わせることができる。これにより、遅延手段を減らすことができるので、部品点数をより削減することが可能になる。
【００３９】
さらに、本実施の形態１においてはアンテナの本数を２本として説明したが、３本以上の場合であっても本発明を実現可能である。
【００４０】
また、本実施の形態１においては、伝送方式をＯＦＤＭ、デジタル変調方式を１６ＱＡＭとして説明したが、これらに限定されるものではない。例えば、伝送方式はＶＳＢ（ＶＥＳＴＩＧＩＡＬ  ＳＩＤＥ  ＢＡＮＤ）などのシングルキャリアによる伝送であっても構わない。また、変調方式は８ＱＡＭ、３２ＱＡＭ、６４ＱＡＭ、２５６ＱＡＭ、ＱＰＳＫ（Ｑｕａｄｒａｔｕｒｅ  Ｐｈａｓｅ  Ｓｈｉｆｔ  Ｋｅｙｉｎｇ）など、受信点間の距離情報を確認し得るものであればどのような方式であってもよい。
【００４１】
（実施の形態２）
図３は、本発明の実施の一例である中継放送所（中継局）の構成を示すブロック図である。
【００４２】
図３において、１０５ａ、１０５ｂは同期手段、１１５はシンボル期間判定手段である。その他の各要素は実施の形態１の場合と同様であるため説明を省略する。
【００４３】
本実施の形態２における受信装置の動作を以下に説明する。特に触れていない動作は実施の形態１で説明したものと同様である。
【００４４】
同期手段１０５ａ、１０５ｂは、実施の形態１の場合と同様に、ガード比、伝送モードを判定するとともに、シンボルパルス等、相関のピーク位置、強さを示す情報を切り出しタイミングの情報として、シンボル期間判定手段１１５に出力する。
【００４５】
シンボル期間判定手段１１５は、同期手段１０５ａおよび１０５ｂより、複数の信号それぞれに対して算出したシンボル切り出しタイミングの情報を入手する。複数得られたシンボル切り出しタイミングの情報を比較し、より強い相関を示した信号から算出したシンボル切り出しタイミングを、共通のシンボル切り出しタイミングと設定する。また、複数の信号から算出したシンボル切り出しタイミングの平均値を、共通のシンボル切り出しタイミングとして設定してもよい。
【００４６】
シンボル期間判定手段１１５は、上記のように決定したシンボル切り出しタイミングに基づき、シンボルパルス等、相関のピーク位置を示す情報を切り出しタイミングの情報として、シンボル切り出し手段１０６ａ、１０６ｂに出力する
本実施の形態２においても、遅延手段１０４の設置場所や個数が限定されない点は実施の形態１の場合と同様である。また、アンテナの本数は２本に限定されないし、伝送方式はＯＦＤＭに限定されない。さらに、各キャリアのデジタル変調方式が１６ＱＡＭに限定されない点も実施の形態１の場合と同様である。
【００４７】
本実施の形態によれば、複数の信号でそれぞれ算出したシンボル期間の情報を用いて、共通のＯＦＤＭシンボル期間を決定することができる。
【００４８】
（実施の形態３）
図４は、本発明の実施の一例である受信装置の構成を示すブロック図である。
【００４９】
図４において、１１６はデインタリーブ手段、１１７はデマッピング手段、１１８はビットデインタリーブ手段、１１９は誤り訂正手段である。その他の各要素は実施の形態１の場合と同様であるため説明を省略する。
【００５０】
本実施の形態３における受信装置の動作を以下に説明する。特に触れていない動作は実施の形態１で説明したものと同様である。
【００５１】
合成手段１０９は、複素信号を合成するとともに、復調手段１０８ａ、１０８ｂから入手した電力情報、振幅情報を信頼性情報としてデインタリーブ手段１１６に出力する。
【００５２】
デインタリーブ手段１１６は、合成手段１０９より得られた合成後の受信信号点の複素信号を、周波数及び時間方向に並び替えを行う。並び替えの方法は、あらかじめ規定されており、送信側で施した並び替えを元に戻す。
【００５３】
デマッピング手段１１７は、デインタリーブ手段１１６より得られた受信信号点の情報をもとに信号の持つビットデータを復元する。ビットデータの復元は、受信信号点から最も近いマッピング点に割り当てられた符号列が送信符号列であったと仮定して行なう。例えば本実施の形態１の図２に示すような規則に従いビットデータの復元を行い、ビットデータ列をビットデインタリーブ手段１１８に出力する。この際、ビット毎に、受信信号点に対し送信符号点が０であるマッピング点と、送信符号点が１であるマッピング点との最短距離を算出し、距離に応じて求まる値を尤度（０らしさ、１らしさ）として後段の誤り訂正手段に伝達する（軟判定と呼ばれる）。
【００５４】
尤度を算出する場合には、合成手段１０９よりデインタリーブ手段１１６を経て入手した信頼性情報を用いて、上記尤度を補正する。
【００５５】
次に、ビットデインタリーブ手段１１８は、デマッピング手段１１７の出力の並び替えを行う。並び替えの方法は、あらかじめ規定されており、送信側で施した並び替えを元に戻す。
【００５６】
誤り訂正手段１１９は、ビットデインタリーブ手段１１８より入手したビットデータ列と、各ビットデータの尤度の情報を用いて誤り訂正を行う。この際、ビタビ復号と呼ばれる誤り訂正方法が用いられることが多く、さらにリードソロモン訂正符号を組み合わせることが多いが、これに限られるものではなく、前述の尤度を用いた誤り訂正であればどのような方法であってもよい。
【００５７】
本実施の形態３においても、遅延手段１０４の設置場所や個数が限定されない点は実施の形態１の場合と同様である。また、アンテナの本数は２本に限定されないし、伝送方式はＯＦＤＭに限定されない。さらに、各キャリアのデジタル変調方式が１６ＱＡＭに限定されない点も実施の形態１の場合と同様である。
【００５８】
（実施の形態４）
以上、実施の形態１、２および３において、本発明にかかるダイバーシティ受信装置および受信方法を説明したが、パーソナルコンピュータ（ＰＣ）やテレビ、ビデオ、その他ＳＴＢ（Ｓｅｔ−ｔｏｐ  Ｂｏｘ）等のアンテナを内蔵する、もしくはアンテナと接続された受信装置にこれらの受信方法をソフトウェアとして組み込み、これをＰＣ等に備わるＣＰＵ（Ｃｅｎｔｒａｌ  Ｐｒｏｃｅｓｓｉｎｇ  Ｕｎｉｔ）に処理・実行させることで、選択や合成を行なうダイバーシティ受信を実現することが可能となる。
【００５９】
また、実施の形態１、２および３の受信方法を上記ＰＣ等に備わるＣＰＵで処理・実行させるために、これらの方法をＣＰＵで処理可能な手順としてプログラムまたはプログラムに準ずるデータとしてＣＤ−ＲＯＭ等の記録媒体に格納することも可能である。これにより、読取装置を備えたＰＣ等で上述の方法を実現することが可能となる。
【産業上の利用可能性】
【００６０】
本発明によると、受信信号がマルチパスの影響を受けた場合であっても、ダイバーシティ型受信装置の受信性能を維持させることが可能になる。従って、ダイバーシティ型受信装置、受信方法として産業上利用可能である。
【図面の簡単な説明】
【００６１】
【図１】本発明の実施の形態１におけるダイバーシティ型中継装置の構成を示すブロック図
【図２】本発明の実施の形態１におけるビットデータの復元方法を示した図
【図３】本発明の実施の形態２におけるダイバーシティ型中継装置の構成を示すブロック図
【図４】本発明の実施の形態２におけるダイバーシティ型受信装置の構成を示すブロック図
【符号の説明】
【００６２】
１０１    アンテナ手段
１０２    チューナ手段
１０３    Ａ／Ｄ変換手段
１０４    遅延手段
１０５    同期手段
１０６    シンボル切り出し手段
１０７    ＦＦＴ演算手段
１０８    復調手段
１０９    合成手段
１１０    硬判定手段
１１１    ＩＦＦＴ演算手段
１１２    ガードインターバル付加手段
１１３    周波数変換手段
１１４    再送信アンテナ手段
１１５    シンボル期間判定手段
１１６    デインタリーブ手段
１１７    デマッピング手段
１１８    ビットデインタリーブ手段
１１９    誤り訂正手段
【図１】
2006041987.tif 000003
【図２】
2006041987.tif 000004
【図３】
2006041987.tif 000005
【図４】
2006041987.tif 000006